(57)【要約】本発明は発熱容器に関するものであり、より詳細には、持ち歩いている飲料等の飲食物を外でも手軽に温められる携帯用発熱容器に関するものである。本発明の携帯用発熱容器は、食品を入れる内容器が挿入され、内部に水と反応する発熱体が収容される外容器と、該外容器の開放された入口に着脱できるように固定され、中心部には内容器が貫通する容器貫通ホールが形成され、該容器貫通ホールの周辺には水蒸気を出す水蒸気排出溝が形成されているカバー部材と、を含む。
2018506316.tif 000002
【特許請求の範囲】
【請求項１】
食品を入れる内容器が挿入され、内部に水と反応する発熱体が収容される外容器と、該外容器の開放された入口に着脱できるように固定され、中心部には前記内容器が貫通する容器貫通ホールが形成され、該容器貫通ホールの周辺には水蒸気を排出するための水蒸気排出溝が形成されているカバー部材と、を含む携帯用発熱容器。
【請求項２】
請求項１において、前記外容器の内側には、前記外容器の内側の底から前記内容器が離隔されるように安着される容器安着部が形成されたことを特徴とする携帯用発熱容器。
【請求項３】
請求項２において、前記容器安着部は前記外容器の内側面から延びていることを特徴とする携帯用発熱容器。
【請求項４】
請求項３において、前記外容器の側面には水の水位を決めるウォーターラインが形成されることを特徴とする携帯用発熱容器。
【請求項５】
請求項２乃至請求項４のうち、ある一つの項において、前記外容器の底面の端には支え突起が同心円状に突き出て形成され、該支え突起の内側には前記外容器の底面を補強する補強リブが突き出て形成されることを特徴とする携帯用発熱容器。
【請求項６】
請求項１乃至請求項４のうち、ある一つの項において、前記カバー部材には、前記外容器の入口がはめ込まれて挿入されるハメコミホームが形成されていて、前記カバー部材は、前記外容器の入口に固定されるリング状の固定部と、該固定部の内側面から延びており、内径が前記内容器の外径より小さく自主弾力性を持っているがゆえに、前記内容器が貫通する時は下方に曲がりながら前記内容器の外側に密着し、前記内容器を分離する時には元の状態に戻り、さらに、水蒸気の排出溝が形成された気密部と、を含むことを特徴とする携帯用発熱容器。
【請求項７】
請求項６において、前記外容器を構成する前記容器本体の上端の入口には外側に延びた縁部が形成され、該縁部の端には下方に延びて前記容器本体と離隔された引っ掛かり部が形成され、前記カバー部材の前記固定部は前記縁部及び前記引っ掛かり部をすべて取り囲む形で形成されることを特徴とする携帯用発熱容器。
【発明の詳細な説明】
【技術分野】
【０００１】
本発明は発熱容器に関するものであり、より詳細には、持ち歩いている飲料等の飲食物を外でも手軽に温められる携帯用発熱容器に関するものである。
【背景技術】
【０００２】
室内には調理用の加熱機器があるので、飲食物を調理したり温めたりして食べるのに何ら問題はない。ところが、登山や釣り等の野外でのレジャー活動中には飲食物を調理したり温めたりして食べるのにバーナー等の加熱機器が必ず必要であり、準備しなければならない。加熱機器には環境汚染や火災等の危険性があるとしてその使用を制限したり最初から禁じているところがあるが、そのような場所では飲食物を調理したり温めたりして食べることは困難である。
【０００３】
したがって、飲食物の調理が認められない野外での活動時には、現地で飲食物を直接購入して食べたり、別途保温容器等に入れて持ち運んだりするしかない。保温容器等に入れて持ち運ぶのは煩わしいだけでなく、保温時間に制限がある等の不便さがあり、食べたい物を食べたい場所で手軽に調理して食べられないという問題がある。
【０００４】
そのような問題を解決するため、容器本体の内部に内容物と密封状態の発熱体の袋を備えつけ、内容物を加熱する時、発熱体の袋を取り出して開封した後、水を注いで反応を起こさせ保存した飲食物を温めて食べることのできる様々な構成の発熱容器が開発・使用されている。
【０００５】
発熱容器のうち、外出先でも乳幼児用の哺乳瓶を温めることができる発熱容器が大韓民国特許公報第１１０５６６０号（以下、「先行文献１」とする）と、大韓民国登録実用新案公報第０４４６６５１号（以下、「先行文献２」とする）に開示されている。
【０００６】
先行文献１の場合、哺乳瓶と別途の発熱容器が備わる。発熱容器には容器本体の内部に発熱物質の収容部と水の収容部を持つ発熱パックがあり、容器本体の上部には熱伝達板が備わる。哺乳瓶の底には発熱容器の熱伝達板と接触して熱伝達を受ける熱伝達板が備わる。
【０００７】
そのような構成を持つ先行文献１の場合、発熱容器の構成が複雑になるだけでなく、哺乳瓶の底に熱伝達板が必要になることから、一般の哺乳瓶は使いにくいとの問題点がある。
【０００８】
先行文献２の場合、上段に開閉手段が備わる外部容器と、外部容器の中の空間部に収容されて上段に開閉手段が備わる金属材質の内部容器と、外部容器の下段と結合して内部容器の離脱を防ぐ離脱防止手段と、内部容器の下段に備わる発熱部とを含む。
【０００９】
そのような構成を持つ先行文献２の場合、液状の内容物を入れる外部容器の中に別途の内部容器が備わり、容器の構造が複雑になるということから、一般の哺乳瓶は使いにくいという問題点がある。
【先行技術文献】
【特許文献】
【００１０】
【特許文献１】大韓民国特許公報第１１０５６６０号（２０１２．０１．１８公告）
【特許文献２】大韓民国登録実用新案公報第０４４６６５１号（２００９．１１．１８公告）
【発明の概要】
【発明が解決しようとする課題】
【００１１】
本発明は前述した従来の問題を解決するために案出されたものであり、その目的は食品容器を持ち運んで外でも手軽に調理したり温めたりすることができる携帯用発熱容器を提供することにある。
【課題を解決するための手段】
【００１２】
本発明の携帯用発熱容器は、食品を入れる内容器が挿入され、内部に水と反応する発熱体が収容される外容器と、該外容器の開放された入口に着脱できるように固定され、中心部には内容器が貫通する容器貫通ホールが形成され、該容器貫通ホールの周辺には水蒸気が排出される水蒸気排出溝が形成されているカバー部材と、を含むことを特徴とする。
【００１３】
外容器の内側には外容器の内側の底から内容器が離隔されるように安着する容器安着部が形成される。
【００１４】
容器安着部は外容器の内側面から延長される。
【００１５】
外容器の側面には水の水位を決めるウォーターラインが形成される。
【００１６】
外容器の底面の端には支え突起が同心円状に突き出て形成され、支え突起の内側には外容器の底面を補強する補強リブが突き出て形成される。
【００１７】
カバー部材には、外容器の入口がはめ込まれて挿入されるハメコミホームが形成されていて、外容器の入口に固定されるリング状の固定部と、該固定部の内側面から延びており、内径が内容器の外径より小さく自主弾力性を持っているがゆえに、内容器が貫通する時は下方に曲がりながら内容器の外側に密着し、内容器が分離する時には元の状態に戻り、さらに、水蒸気の排出溝が形成された気密部と、を含む。
【００１８】
外容器を構成する容器本体の上段の入口には外側に延びた縁部が形成され、縁部の端には下方に延びて容器本体と離隔された引っ掛かり部が形成される。カバー部材の固定部は縁部及び引っ掛かり部をすべて取り囲む形で形成される。
【発明の効果】
【００１９】
本発明の携帯用発熱容器は、野外で食品容器を手軽に温めることができ、構造がシンプルで制作費を削減でき、使いやすいという長所がある。
【図面の簡単な説明】
【００２０】
【図１】本発明の望ましい実施例による携帯用発熱容器に哺乳瓶がはめ込まれた様子を示した斜視図である。
【図２】本発明の望ましい実施例による携帯用発熱容器に収容された発熱体で水を加熱して哺乳瓶容器を温める様子を示した正面図である。
【図３】本発明の望ましい実施例による携帯用発熱容器の斜視図である。
【図４】図３の分解斜視図である。
【図５】図３のＡ−Ａ線断面図である。
【図６】図４のＢ部断面図である。
【発明を実施するための形態】
【００２１】
以下、本発明である携帯用発熱容器の望ましい実施例を、添付図面を参照しながら詳細に説明する。
【００２２】
図１は本発明の望ましい実施例による携帯用発熱容器に哺乳瓶がはめ込まれた様子を示した斜視図であり、図２は本発明の望ましい実施例による携帯用発熱容器に収容された発熱体で水を加熱して哺乳瓶容器を温める様子を示した正面図である。
【００２３】
本発明の携帯用発熱容器１は、外容器１００の内部に水と発熱体３を収容した状態で、外容器１００の入口に固定されたカバー部材２００の中心に内容器の哺乳瓶２をはめ込む仕組みである。哺乳瓶２をはめ込んだ後、時間が経てば水と発熱体３が反応して水が沸騰し水蒸気が発生する。その水蒸気が哺乳瓶２と接触して哺乳瓶２を温める。発生した水蒸気はカバー部材２００により外部に排出される。
【００２４】
発熱体３の成分比や発熱体３と反応する水の量、カバー部材２００を通した水蒸気の排出量等を調節すれば、哺乳瓶２に入っているミルクを母親の母乳温度と同じ３７度を保つように加熱することができる。内容器が哺乳瓶２でない他の食品容器（例えば、酒等）の場合でも上記と同じ条件等を調節すれば希望温度に加熱することができる。
【００２５】
一方、哺乳瓶２は、カバー部材２００を外容器１００に固定させた状態でカバー部材２００の中心に形成された容器貫通ホール２２１（後述）にはめ込めば、外容器１００の中に挿入することができる。加熱した後、哺乳瓶２を上の方へ引っ張るだけで外容器１００から取り出すことができる。
【００２６】
図３は本発明の望ましい実施例による携帯用発熱容器の斜視図、図４は図３の分解斜視図、図５は図３のＡ−Ａ線断面図、図６は図４のＢ部断面図である。
【００２７】
本発明による携帯用発熱容器１は外容器１００とカバー部材２００を含む。
【００２８】
外容器１００には哺乳瓶が挿入され、内部には水と発熱体が収容される。外容器１００は、容器本体１１０、縁部１２０、引っ掛かり部１３０、容器安着部１４０、支え突起１５０及び補強リブ１６０を含む。
【００２９】
容器本体１１０は内部に哺乳瓶、水、発熱体が収容される空間があり、上向きに開放された形となっている。容器本体１１０の横断面は円形となっている。容器本体１１０の側面の下部には水の水位を決めるウォーターライン１７０がある。ウォーターライン１７０は溝の形、又は、突起の形となっている。
【００３０】
縁部１２０は容器本体１１０の上端から外側に延びて上面はラウンディングされるように形成される。引っ掛かり部１３０は縁部１２０の端から下方に延びて容器本体１１０と離隔される。カバー部材２００は容器本体１１０の上端、縁部１２０、引っ掛かり部１３０を取り囲む形で固定される。引っ掛かり部１３０によって、外容器１００からカバー部材２００が簡単に分離されず安定した固定状態を保つことができる。
【００３１】
容器安着部１４０は容器本体１１０の内側面から内側に突き出ており、哺乳瓶２が容器本体１１０の底面から離隔・安着されるようにする。容器本体１１０の底面と哺乳瓶２の間の空間で水と発熱体３の反応が起こる。容器安着部１４０は容器本体１１０の中心を垂直に貫通する中心線を基準に放射状に配列される。
【００３２】
支え突起１５０は容器本体１１０の底面から突き出ており、端に同心円状に形成されて容器本体１１０が底から離隔されるように支える。支え突起１５０は容器本体１１０の底面に複数個が互いに離隔された形で形成されるが、１個のみ連続して形成されるものもある。
【００３３】
補強リブ１６０は、容器本体１１０の底面から突き出ており、支え突起１５０の内側から複数個が放射状に形成されて容器本体１１０の底面の強度を補強する。
【００３４】
カバー部材２００はシリコンのような自主弾力性を持つ材質でできており、固定部２１０と気密部２２０を含む。
【００３５】
固定部２１０はリング状に形成され容器本体１１０の入口にはめ込まれ固定される。容器本体１１０の上端、縁部１２０、引っ掛かり部１３０がはめ込まれるハメコミホーム２１１が形成される。そのような形態の固定部２１０は容器本体１１０の上端の内側に接触する容器本体の接触面２１２、容器本体の接触面２１２から外側に延びて縁部１２０の上面を取り囲む縁部の接触面２１３、及び、引っ掛かり部１３０を取り囲む引っ掛かり部の接触面２１４を含む。引っ掛かり部の接触面２１４は引っ掛かり部１３０の内外側及び底面を取り囲むようにベンディングされた形で形成されるがゆえに、固定部２１０が引っ掛かり部１３０に引っ掛かってしまう。そのため、容器本体１１０から固定部２１０を分離するためには固定部２１０に力を加えて引っ張り出す必要がある。
【００３６】
上述したように固定部２１０は自主弾力性を持っており、固定部２１０を容器本体１１０の入口にはめ込む時は使用者が力を入れてハメコミホーム２１１の入口を開けて固定する必要がある。固定部２１０を容器本体１１０の入口にはめ込んだ後は自主弾力性によってハメコミホーム２１１の入口が元の状態に戻り、固定部２１０の分離を防止する。
【００３７】
気密部２２０は固定部２１０を構成する容器本体の接触面２１２の内周面から内側に水平に延びて、薄いシリコン膜の形で形成される。気密部２２０は中心に哺乳瓶２が貫通する容器貫通ホール２２１を持つリング状の形で形成される。容器貫通ホール２２１の周辺には外容器１００の中の水蒸気を外部に出すための複数の水蒸気排出溝２２２が形成される。容器貫通ホール２２１の内径は哺乳瓶２の外径より小さく形成される。そのため、哺乳瓶２が貫通する時、気密部２２０は下方に曲がりながら哺乳瓶２の外側に密着し、哺乳瓶２を分離すれば元の状態に戻る。哺乳瓶２の挿入と分離は気密部２２０によってスムーズに行われる。
【００３８】
以上、本発明の携帯用発熱容器について、望ましい実施例を基に詳細な説明を行った。但し、本発明は特定の実施例に限られるものではない。該当分野に関する一般知識を持つ人によって、特許請求の範囲に記載された範疇内で様々な形で変形して実施することができる。
【図１】
2018506316.tif 000003
【図２】
2018506316.tif 000004
【図３】
2018506316.tif 000005
【図４】
2018506316.tif 000006
【図５】
2018506316.tif 000007
【図６】
2018506316.tif 000008
【国際調査報告】
2018506316.tif 000009
2018506316.tif 000010
2018506316.tif 000011
2018506316.tif 000012
2018506316.tif 000013
2018506316.tif 000014